(57)【特許請求の範囲】
【請求項１】
テレビ放送局の主調整室において運行監視者が複数のシステム機器を使用して行う運行監視業務を支援するシステムであって、
運行監視者から当該システムに対する操作が入力されると共に、運行監視者に対して画面を表示するためのコンソール部と、
前記複数のシステム機器及び前記コンソール部に接続され、前記コンソール部から入力される操作の伝達先、及び、前記コンソール部に表示させる操作画面の提供元を、前記複数のシステム機器の中で切り替える操作切替部と、
前記複数のシステム機器及び前記コンソール部に接続され、前記コンソール部に表示させる映像モニター画面の提供元を、前記複数のシステム機器の中で切り替える映像切替部と、
システム全体を制御する制御部と、を含み、
該制御部は、前記複数のシステム機器から入力されるトリガ信号に応じて、前記複数のシステム機器の中から、運行監視者により操作されるべきシステム機器と、運行監視者に対して表示するべき前記映像モニター画面を提供しているシステム機器とを選択し、該選択結果に基づいて前記操作切替部及び前記映像切替部を制御することを特徴とする運行監視業務支援システム。
【請求項２】
前記制御部は、前記複数のシステム機器から入力されるトリガ信号に応じて、該トリガ信号が示す事象に対処するために実行するべき複数の操作を、前記複数のシステム機器に対する操作の中から選定し、前記複数の操作をまとめて行うための少なくとも１つの操作ボタンを、前記コンソール部に表示させることを特徴とする請求項１記載の運行監視業務支援システム。
【請求項３】
前記コンソール部は、前記操作画面を表示するための第１表示部と、複数の前記映像モニター画面を同時に表示するための第２表示部と、前記操作ボタンを表示するための第３表示部とを含み、少なくとも前記第３表示部が、タッチパネル式の入力表示装置により構成されることを特徴とする請求項２記載の運行監視業務支援システム。
【請求項４】
前記複数のシステム機器として、少なくとも、
複数の映像音声信号を切り替えて放送用信号を作成し、該放送用信号を圧縮して複数の送信所へ送信するマスターシステムと、
速報データを受信して文字スーパーを作成し、該文字スーパーを送出する速報システムと、
前記複数のシステム機器の異常を監視し、異常が発生した場合に通知を行うアラーム監視システムと、
ＣＭ素材と番組素材とテロップ素材との３種の素材を保持し、該３種の素材の各々を素材毎に複数の出力系統から出力するための統合バンクと、
前記複数の送信所の各々に設置される放送機の監視及び制御を行うための放送機リモコンと、が含まれることを特徴とする請求項２又は３記載の運行監視業務支援システム。
【請求項５】
前記制御部は、前記統合バンクにおいて出力の異常が発生したことを示すトリガ信号を、前記アラーム監視システムから受信した場合に、前記３種の素材毎の前記複数の出力系統からの映像と、前記マスターシステムにおいて圧縮される前の前記放送用信号による映像とを、複数の前記映像モニター画面として前記コンソール部に同時に表示させると共に、前記複数の出力系統の中で使用する系統を切り替えるための前記操作ボタンを、前記コンソール部に表示させることを特徴とする請求項４記載の運行監視業務支援システム。
【請求項６】
前記制御部は、前記複数の送信所の中で前記放送機の異常が発生した送信所があることを示すトリガ信号を、前記アラーム監視システムから受信した場合に、前記マスターシステムにおいて圧縮された後の前記放送用信号による映像と、前記放送機の異常が発生している送信所からの電波を受信したチューナーからの映像とを、複数の前記映像モニター画面として前記コンソール部に同時に表示させると共に、前記放送機の異常が発生している送信所についての、前記放送機リモコンの前記操作画面と、前記放送機をリセットするための前記操作ボタンと、前記放送機が複数の放送系統を有する場合は該放送系統を切り替えるための前記操作ボタンとを、前記コンソール部に表示させることを特徴とする請求項４又は５記載の運行監視業務支援システム。
【請求項７】
前記制御部は、前記速報データを受信したことを示すトリガ信号を前記速報システムから受信した場合に、前記マスターシステムにおいて圧縮される前の前記放送用信号による映像と、前記マスターシステムから出力される、前記文字スーパーのプレビュー表示が反映されるプレビュー映像と、オンエアの電波を受信したチューナーからの映像とを、複数の前記映像モニター画面として前記コンソール部に同時に表示させると共に、前記文字スーパーのプレビュー表示を行うための前記操作ボタンと、前記文字スーパーの送出を行うための前記操作ボタンとを、前記コンソール部に表示させることを特徴とする請求項４から６のいずれか１項記載の運行監視業務支援システム。
【発明の詳細な説明】
【技術分野】
【０００１】
本発明は、テレビ放送局の主調整室において運行監視者が行う運行監視業務を支援する運行監視業務支援システムに関するものである。
【背景技術】
【０００２】
テレビ放送局の主調整室では、番組素材やＣＭ素材等を運行データに従って並べて組み合わせ、送信所へ送り出すことが行われる。このような運行を監視する運行監視者は、主制御室に設置された様々なシステム機器を取り扱う必要がある。特に、システム機器に異常が発生した場合や、速報データを受信した時には、複数のシステム機器を迅速に操作して、適切な処置を行わなくてはならない。なお、特許文献１には、テレビスタジオ主調整室において障害が発生した場合でも、自動的に放送を継続できるような制御装置が開示されている。
【先行技術文献】
【特許文献】
【０００３】
【特許文献１】特開平７−８７３６４号公報
【発明の概要】
【発明が解決しようとする課題】
【０００４】
ここで、異常発生時や速報データ受信時に適切な処置を行うために、多数の映像モニター、多数のＰＣ、多数のボタンの中から、確認が必要な映像モニターや操作が必要なＰＣ及びボタンを瞬時に選定して取り扱うことは、習熟した運行監視者であっても困難であった。又、特許文献１の発明は、アナログ放送時代のものであって、地上デジタル放送等にそのまま使用することはできない。
本発明は上記課題に鑑みてなされたものであり、その目的とするところは、運行監視業務の負担を軽減し、放送の信頼性を向上することにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではない。そのため、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）テレビ放送局の主調整室において運行監視者が複数のシステム機器を使用して行う運行監視業務を支援するシステムであって、運行監視者から当該システムに対する操作が入力されると共に、運行監視者に対して画面を表示するためのコンソール部と、前記複数のシステム機器及び前記コンソール部に接続され、前記コンソール部から入力される操作の伝達先、及び、前記コンソール部に表示させる操作画面の提供元を、前記複数のシステム機器の中で切り替える操作切替部と、前記複数のシステム機器及び前記コンソール部に接続され、前記コンソール部に表示させる映像モニター画面の提供元を、前記複数のシステム機器の中で切り替える映像切替部と、システム全体を制御する制御部と、を含み、該制御部は、前記複数のシステム機器から入力されるトリガ信号に応じて、前記複数のシステム機器の中から、運行監視者により操作されるべきシステム機器と、運行監視者に対して表示するべき前記映像モニター画面を提供しているシステム機器とを選択し、該選択結果に基づいて前記操作切替部及び前記映像切替部を制御する運行監視業務支援システム。
【０００７】
本項に記載の運行監視業務支援システムは、主調整室に設置される複数のシステム機器を使用した運行監視業務を支援するものであり、コンソール部、操作切替部、映像切替部、及び制御部を含んでいる。コンソール部は、運行監視者から運行監視業務支援システムに対して入力される操作を受け、その操作内容を操作切替部や制御部へと伝達する。更に、コンソール部は、運行監視者に対して様々な画面を表示する役割も担う。操作切替部は、コンソール部を介して操作されるシステム機器を、主調整室の複数のシステム機器の中で切り替えるものであり、複数のシステム機器とコンソール部とに接続される。すなわち、操作切替部は、コンソール部から入力される操作を切り替え先のシステム機器に対して伝達すると共に、切り替え先のシステム機器の操作画面をコンソール部へ送信する。映像切替部は、操作切替部と同じく複数のシステム機器とコンソール部とに接続され、コンソール部に表示される映像モニター画面を提供するシステム機器を、複数のシステム機器の中で切り替えるものである。この際、映像切替部からコンソール部へ送信される映像モニター画面は２つ以上であってもよく、映像モニター画面を提供するシステム機器も２台以上であってもよい。
【０００８】
制御部は、運行監視業務支援システム全体を制御するものであって、運行監視業務支援システムの他の構成要素や、複数のシステム機器と接続され、システム制御の１つとして以下のような制御を行う。すなわち、制御部は、複数のシステム機器から入力されるトリガ信号に応じて、複数のシステム機器の中から、運行監視者により操作されるべきシステム機器と、運行監視者に対して表示するべき映像モニター画面を提供しているシステム機器とを選択する。その結果、運行監視者により操作されるべきシステム機器として選択されたシステム機器が、コンソール部から操作されるように、操作切替部の切り替え先を制御する。更に、制御部は、運行監視者に対して表示するべき映像モニター画面を提供しているシステム機器として選択されたシステム機器が、コンソール部に対して映像モニター画面を提供するように、映像切替部の切り替え先を制御する。
【０００９】
これにより、操作が必要なシステム機器がコンソール部から操作されるようになるため、そのシステム機器の設置場所までの移動や、操作するべきシステム機器を判断する時間等が不要になり、迅速に対応されるものとなる。又、必要とする映像モニター画面がコンソール部に表示されるため、トリガ信号に応じた各オペレーション時や異常発生時等、画像確認が必要な場合に、短時間でかつ確実に状況確認が行われるものとなる。従って、経験が少ない運行監視者が業務を行う場合や、異常発生時等の緊急時であっても、的確な処置が迅速に行われるものとなり、延いては、業務負担の軽減等の大幅な業務改善と、放送の信頼性や安全性の向上とに貢献するものとなる。しかも、本運行監視業務支援システムは、操作切替部や映像切替部等を介した制御により、既設のシステム機器を改修する必要なく導入されるものである。
【００１０】
（２）上記（１）項において、前記制御部は、前記複数のシステム機器から入力されるトリガ信号に応じて、該トリガ信号が示す事象に対処するために実行するべき複数の操作を、前記複数のシステム機器に対する操作の中から選定し、前記複数の操作をまとめて行うための少なくとも１つの操作ボタンを、前記コンソール部に表示させる運行監視業務支援システム。
本項に記載の運行監視業務支援システムは、複数のシステム機器から入力されるトリガ信号が示す事象に対処するために、複数の操作をまとめて行うための操作ボタンを、制御部がコンソール部に表示させるものである。そのために、制御部は、入力されたトリガ信号が示す事象に対処するために実行するべき複数の操作を、複数のシステム機器に対する操作の中から選定する。そして、選定した複数の操作をまとめて行うための操作ボタンを、コンソール部に少なくとも１つ表示させる。すなわち、操作ボタンは２つ以上であってもよく、この場合は各操作ボタンに割り当てられた複数の操作が操作ボタン間で互いに異なるものになり、複数の操作を段階的に行わせるようになっていてもよい。又、操作ボタンに割り当てられる複数の操作は、システム機器を構成するＰＣを操作するものであってもよく、システム機器に設けられたボタンを疑似的に押下するものであってもよい。
【００１１】
このような構成によって、制御部は、コンソール部に表示させた操作ボタンが運行監視者により操作されると、その操作ボタンに割り当てられた複数の操作が、該当するシステム機器に対して実行されるように制御を行う。これにより、複数のシステム機器の各々を構成する複数のＰＣに対する操作や、各システム機器に設けられた多数のボタンの中から選定された、トリガ信号が示す事象に対処するための複数の操作が、操作ボタンの押下によってまとめて行われるようになるため、的確な操作がより確実に行われるものとなる。更に、複数の操作ボタンを表示させた場合に、操作ボタンやその周り等を色分け表示して、優先度や押下の順序を示唆することとすれば、操作の的確度がより一層向上されるものとなる。又、運行監視者は操作ボタンを押下すればよいため、運行監視者があまり詳しくないシステム機器に対しても、的確な操作が行われるものとなる。
【００１２】
（３）上記（２）項において、前記コンソール部は、前記操作画面を表示するための第１表示部と、複数の前記映像モニター画面を同時に表示するための第２表示部と、前記操作ボタンを表示するための第３表示部とを含み、少なくとも前記第３表示部が、タッチパネル式の入力表示装置により構成される運行監視業務支援システム。
本項に記載の運行監視業務支援システムは、コンソール部が第１表示部から第３表示部までを含むものであり、このうちの第１表示部は、操作切替部を介して提供される、操作切替部の切り替え先のシステム機器の操作画面を表示するものである。又、第２表示部は、映像切替部を介して提供される、映像切替部の切り替え先の１台以上のシステム機器からの、複数の映像モニター画面を同時に表示するものである。更に、第３表示部は、上記（２）項に記載した１つ以上の操作ボタンを表示するものである。これにより、複数の表示が機能的に分けられながらもコンソール部においてまとめて表示され、同一視界内で全ての確認が行われるものとなる。しかも、少なくとも第３表示部が、タッチパネル式の入力表示装置により構成されていることで、直感的かつ容易に操作ボタンの押下が行われるものとなる。
【００１３】
（４）上記（２）（３）項において、前記複数のシステム機器として、少なくとも、複数の映像音声信号を切り替えて放送用信号を作成し、該放送用信号を圧縮して複数の送信所へ送信するマスターシステムと、速報データを受信して文字スーパーを作成し、該文字スーパーを送出する速報システムと、前記複数のシステム機器の異常を監視し、異常が発生した場合に通知を行うアラーム監視システムと、ＣＭ素材と番組素材とテロップ素材との３種の素材を保持し、該３種の素材の各々を素材毎に複数の出力系統から出力するための統合バンクと、前記複数の送信所の各々に設置される放送機の監視及び制御を行うための放送機リモコンと、が含まれる運行監視業務支援システム。
【００１４】
本項に記載の運行監視業務支援システムは、複数のシステム機器に少なくとも、マスターシステム、速報システム、アラーム監視システム、統合バンク、及び放送機リモコンが含まれるものである。マスターシステムは、主調整室のメイン装置であって、複数の映像音声信号を切り替えて放送用信号を作成し、この放送用信号を圧縮して複数の送信所へ送信すること等を行い、そのために他の様々なシステム機器と連携する。速報システムは、受信した速報データから文字スーパーを作成して送出する装置であって、アラーム監視システムは、複数のシステム機器の異常を監視し、異常が発生した場合に通知を行う装置であり、この通知は制御部へ入力されるトリガ信号としても利用される。
【００１５】
又、統合バンクは、ＣＭ素材と番組素材とテロップ素材との３種の素材を保持し、これら３種の素材の各々を素材毎に複数の出力系統から出力する装置であり、換言すれば、ＣＭ素材を出力する複数の出力系統と、番組素材を出力する複数の出力系統と、テロップ素材を出力する複数の出力系統とを含んでいる。放送機リモコンは、複数の送信所の各々に設置される放送機の監視及び制御を遠隔で行うための装置である。このように、運行監視業務に必要な各装置が複数のシステム機器に含まれていることで、本運行監視業務支援システムによる業務支援の品質が向上するものである。
【００１６】
（５）上記（４）項において、前記制御部は、前記統合バンクにおいて出力の異常が発生したことを示すトリガ信号を、前記アラーム監視システムから受信した場合に、前記３種の素材毎の前記複数の出力系統からの映像と、前記マスターシステムにおいて圧縮される前の前記放送用信号による映像とを、複数の前記映像モニター画面として前記コンソール部に同時に表示させると共に、前記複数の出力系統の中で使用する系統を切り替えるための前記操作ボタンを、前記コンソール部に表示させる運行監視業務支援システム。
本項に記載の運行監視業務支援システムは、統合バンクにおいて出力の異常が発生したことを示すトリガ信号を、制御部がアラーム監視システムから受信した場合の制御を規定するものである。この場合、制御部は、運行監視者に対して表示するべき映像モニター画面を提供しているシステム機器として、統合バンクとマスターシステムとを選択する。
【００１７】
そして、制御部は、統合バンクに保持されている３種の素材のうち、何れか１つの素材を出力している複数の出力系統からの映像と、マスターシステムにおいて圧縮される前の放送用信号による映像とを、統合バンク及びマスターシステムから映像切替部を介してコンソール部へと提供し、複数の映像モニター画面としてコンソール部に同時に表示させる。このとき、コンソール部に表示させる映像の提供元の素材は、ＣＭ素材と番組素材とテロップ素材との中から、異常が発生した出力系統を含む素材であることが好ましく、又、映像を表示させる素材を、３つの素材の中から選択できるようにしてもよい。一方、制御部は、運行監視者により操作されるべきシステム機器として、統合バンクを選択する。そして、統合バンクに保持されている３種の素材のうち、例えば選択中の１つの素材について、複数の出力系統の中で使用する系統を切り替えるための操作ボタンを、コンソール部に表示させる。この操作ボタンが操作されると、制御部は、統合バンクを制御して、出力系統の切り替えを実行させる。
【００１８】
ここで、従来は、バンク出力で異常が発生した場合、モニターにより出力系統毎に出力状況を確認し、更に場所を移動して、出力系統を切り替えるための専用のボタンを押す必要があった。このため、状況把握に時間がかかり、対応に時間を要していた。しかしながら、本項に記載の運行監視業務支援システムは、上述したような構成であるため、統合バンクの複数の出力系統からの映像と、圧縮前の放送用信号による映像とが、コンソール部においてまとめて確認されながら、出力系統の切り替え操作が行われることになる。これにより、統合バンクの異常状況の把握時間と、適切な処置が行われるまでの時間とが短縮され、送出の安全性が向上されるものである。
【００１９】
（６）上記（４）（５）項において、前記制御部は、前記複数の送信所の中で前記放送機の異常が発生した送信所があることを示すトリガ信号を、前記アラーム監視システムから受信した場合に、前記マスターシステムにおいて圧縮された後の前記放送用信号による映像と、前記放送機の異常が発生している送信所からの電波を受信したチューナーからの映像とを、複数の前記映像モニター画面として前記コンソール部に同時に表示させると共に、前記放送機の異常が発生している送信所についての、前記放送機リモコンの前記操作画面と、前記放送機をリセットするための前記操作ボタンと、前記放送機が複数の放送系統を有する場合は該放送系統を切り替えるための前記操作ボタンとを、前記コンソール部に表示させる運行監視業務支援システム。
【００２０】
本項に記載の運行監視業務支援システムは、複数の送信所の中で放送機の異常が発生した送信所があることを示すトリガ信号を、制御部がアラーム監視システムから受信した場合の制御を規定するものである。この場合、制御部は、運行監視者に対して表示するべき映像モニター画面を提供しているシステム機器として、マスターシステムを選択する。そして、マスターシステムにおいて圧縮された後の放送用信号による映像と、放送機の異常が発生している送信所からの電波を受信したチューナーからの映像とを、マスターシステムから映像切替部を介してコンソール部へと提供し、複数の映像モニター画面としてコンソール部に同時に表示させる。このとき、マスターシステムにおいて放送用信号が現用と予備用とのように２系統以上ある場合は、それら全ての系統の放送用信号による映像を表示させてもよい。
【００２１】
一方、制御部は、運行監視者により操作されるべきシステム機器として、放送機リモコンを選択する。そして、放送機の異常が発生している送信所に対応した放送機リモコンの操作画面を、コンソール部に表示させる。加えて、制御部は、放送機の異常が発生している送信所について、放送機をリセットするための操作ボタンを、コンソール部に表示させる。更に、制御部は、放送機の異常が発生している送信所の放送機が、複数の放送系統を有している場合に限り、それら複数の放送系統の中で使用する放送系統を切り替えるための操作ボタンを、コンソール部に表示させる。これらの操作ボタンが操作されると、制御部は、放送機リモコンを制御して、異常が発生している送信所の放送機のリセットや放送系統の切り替えを実行させる。
【００２２】
ここで、従来は、送信所の放送機で異常が発生した場合、送り返し映像モニターによるオンエア状況の確認と、放送機リモコンの画面による異常発生状況の把握が必要であった。又、運行監視者は、通常、送信所の設備には詳しくないため、状況を送信担当者へ連絡した後、対応を行う必要があった。このような理由により、放送機の異常発生時の対応が非常に遅れるケースが多かった。しかしながら、本項に記載の運行監視業務支援システムは、上述したような構成であるため、圧縮後の放送用信号による映像と、放送機の異常が発生している送信所からの電波による映像と、異常が発生している放送機の操作画面とが、コンソール部においてまとめて確認されながら、放送機のリセット操作や、放送機の放送系統切り替え操作が行われることになる。これにより、送信設備に詳しくない運行監視者であっても、異常の原因がマスターシステムにあるか放送機にあるか等の判断が適切かつ迅速に行われ、異常発生時の対応時間が大幅に短縮されると共に、異常の影響が最小限に止められるものとなる。
【００２３】
（７）上記（４）から（６）項において、前記制御部は、前記速報データを受信したことを示すトリガ信号を前記速報システムから受信した場合に、前記マスターシステムにおいて圧縮される前の前記放送用信号による映像と、前記マスターシステムから出力される、前記文字スーパーのプレビュー表示が反映されるプレビュー映像と、オンエアの電波を受信したチューナーからの映像とを、複数の前記映像モニター画面として前記コンソール部に同時に表示させると共に、前記文字スーパーのプレビュー表示を行うための前記操作ボタンと、前記文字スーパーの送出を行うための前記操作ボタンとを、前記コンソール部に表示させる運行監視業務支援システム。
【００２４】
本項に記載の運行監視業務支援システムは、速報データを受信したことを示すトリガ信号を、制御部が速報システムから受信した場合の制御を規定するものである。この場合、制御部は、運行監視者に対して表示するべき映像モニター画面を提供しているシステム機器として、マスターシステムを選択する。そして、マスターシステムにおいて圧縮される前の放送用信号による映像と、文字スーパーのプレビュー表示が反映されるプレビュー映像と、オンエアの電波を受信したチューナーからの映像とを、マスターシステムから映像切替部を介してコンソール部へと提供し、複数の映像モニター画面としてコンソール部に同時に表示させる。このとき、マスターシステムにおいて放送用信号が現用と予備用とのように２系統以上ある場合は、現用の放送用信号による映像を表示させるようにし、更に現用の１２セグと１セグとの双方の放送用信号による映像を表示させてもよい。一方、制御部は、運行監視者により操作されるべきシステム機器として、マスターシステムを選択する。そして、速報データを受けた速報システムにおいて作成された文字スーパーの、プレビュー表示を行うための操作ボタンと、送出を行うための操作ボタンとを、コンソール部に表示させる。これらの操作ボタンが操作されると、制御部は、マスターシステムを制御して、速報の文字スーパーのプレビューや送出を実行させる。
【００２５】
ここで、従来は、速報送出を行う際に、ＣＭまでの時間確認と、各映像モニターを切り替えてのプレビュー及びオンエアチェックが必要であった。又、速報スーパーのプレビューや送出のために、主調整室のどのボタンを押すかを運行監視者が判断する必要があり、操作ミスによって速報を正常に送出できないケースもあった。しかしながら、本項に記載の運行監視業務支援システムは、上述したような構成であるため、圧縮前の放送用信号による映像と、文字スーパーのプレビュー映像と、オンエアの映像とが、コンソール部においてまとめて確認されながら、文字スーパーのプレビュー及び送出が行われることになる。これにより、速報送出の安全性が向上されると共に、速報送出までの時間が短縮されるものとなる。
【発明の効果】
【００２６】
本発明はこのように構成したので、運行監視業務の負担を軽減し、放送の信頼性を向上することが可能となる。
【図面の簡単な説明】
【００２７】
【図１】本発明の実施の形態に係る運行監視業務支援システムの構成の一例を示すブロック図である。
【図２】コンソール部の構成を例示するイメージ図である。
【図３】バンク設備の異常発生時にコンソール部に表示する映像モニター画面及び操作ボタンのイメージ図である。
【図４】放送機の異常発生時にコンソール部に表示する映像モニター画面及び操作ボタンのイメージ図である。
【図５】速報データの受信時にコンソール部に表示する映像モニター画面及び操作ボタンのイメージ図である。
【発明を実施するための形態】
【００２８】
以下、本発明の実施の形態を図面に基づき説明する。ここで、図面の全体にわたって、同一部分又は対応する部分は、同一符号で示している。又、従来技術と同一部分、若しくは相当する部分については、詳しい説明を省略する。
図１は、テレビ放送局の主調整室において、運行監視者が複数のシステム機器７０を使用して行う運行監視業務を支援する、本発明の実施の形態に係る運行監視業務支援システム１０の構成の一例を示している。なお、ここでの運行監視者とは、純粋な運行監視者のみにあらず、運行監視業務に携わる全ての人物を指すものとする。図示のように、運行監視業務支援システム１０は、コンソール部２０、操作切替部４０、映像切替部５０、及び制御部６０を含んでいる。
【００２９】
コンソール部２０は、運行監視者に対して様々な情報を提示し、又、運行監視者から本運行監視業務支援システム１０に対する操作が入力されるものである。そのために、コンソール部２０は、第１表示部２２、第２表示部２４、第３表示部２６、第４表示部２８、キーボード３６、及びマウス３８を含んでいる。第１表示部２２は、操作切替部４０を経由して複数のシステム機器７０から送られる操作画面を表示するものであり、第２表示部２４は、映像切替部５０を経由して複数のシステム機器７０から送られる映像モニター画面を表示するものである。又、第２表示部２４は、例えば図３〜図５に示すように、本実施形態では第１分割画面２４ａ〜第４分割画面２４ｄの４つの画面に分割されるようになっており、分割画面間で異なる映像モニター画面を表示する。なお、第２表示部２４の画面分割数が、１〜４で切り替えられるようになっていてもよく、４つより多くの画面に分割されてもよい。
【００３０】
第３表示部２６は、後述するように制御部６０からの制御を受けて各種の操作ボタンＢＴ（図３〜図５参照）を表示するものであり、第４表示部２８は、各種のメニューを表示するためのものである（図３〜図５参照）。ここで、図２を参照して、本実施形態のコンソール部２０は、第１表示部２２がディスプレイ装置３２により構成され、第２表示部２４、第３表示部２６、及び第４表示部２８が、タッチパネル式の入力表示装置３４により構成されている。すなわち、ディスプレイ装置３２では、システム機器７０の操作画面を表示し、入力表示装置３４では、映像モニター画面と操作ボタンＢＴとメニューとを表示すると共に、これらに対する操作が入力表示装置３４の画面から直接行えるようになっている。キーボード３６及びマウス３８は、運行監視業務支援システム１０への操作を入力するためのものであって、それらの操作に、ディスプレイ装置３２に表示される操作画面での操作や、入力表示装置３４に表示される操作ボタンＢＴ及びメニューに対する操作が含まれていてもよい。なお、第１表示部２２〜第４表示部２８の分け方は任意であり、図２の例に限定されるものではない。
【００３１】
図１に戻り、操作切替部４０は、コンソール部２０から入力される操作を伝達するシステム機器と、コンソール部２０に表示させる操作画面を提供するシステム機器とを、複数のシステム機器７０の中で切り替えるものである。このとき、操作の伝達先のシステム機器と、操作画面の提供元のシステム機器とは、同じであっても異なっていてもよく、夫々のシステム機器が複数であってもよい。操作切替部４０による複数のシステム機器７０の中での切り替えは、後述するように制御部６０からの制御を受けて行われる。このために、操作切替部４０は、コンソール部２０、制御部６０、及び複数のシステム機器７０の各々に接続される。このような操作切替部４０は、例えばＫＶＭスイッチにより構成される。
【００３２】
映像切替部５０は、コンソール部２０に表示させる映像モニター画面を提供するシステム機器を、複数のシステム機器７０の中で切り替えるものである。このとき、コンソール部２０の第２表示部２４では複数の映像モニター画面を同時に表示できることから、映像モニター画面の提供元のシステム機器が複数であってもよい。映像切替部５０による複数のシステム機器７０の中での切り替えは、後述するように制御部６０からの制御を受けて行われる。このために、映像切替部５０は、コンソール部２０、制御部６０、及び複数のシステム機器７０の各々に接続される。このような映像切替部５０は、例えばビデオルーターにより構成される。
【００３３】
制御部６０は、運行監視業務支援システム１０の全体を制御するものであって、コンソール部２０、操作切替部４０、及び映像切替部５０に接続される。制御部６０は、コンソール部２０に対しては、例えば入力表示装置３４の表示レイアウトの制御等を行い、コンソール部２０からは、例えば入力表示装置３４へのタッチパネル入力等を受ける。又、制御部６０は、上述したように、操作切替部４０に対して、複数のシステム機器７０の中での接続先の切り替え制御を行い、映像切替部５０に対しても、複数のシステム機器７０の中での接続先の切り替え制御を行う。更に、制御部６０は、トリガ信号を受けるため、及び制御を行うために、複数のシステム機器７０に対しても接続される。
【００３４】
例えば、制御部６０は、複数のシステム機器７０の何れかのシステム機器からトリガ信号が入力されると、入力されたトリガ信号が示す事象に応じて、複数のシステム機器７０の中から、運行監視者により操作されるべきシステム機器と、運行監視者に対して表示するべき映像モニター画面を提供しているシステム機器とを選択する。そして、操作されるべきものとして選択されたシステム機器が、コンソール部２０から操作されるように、操作切替部４０の切り替え先を制御し、表示するべきものとして選択されたシステム機器が、コンソール部２０へ映像モニター画面を提供するように、映像切替部５０の切り替え先を制御する。
【００３５】
更に、制御部６０は、入力されたトリガ信号が示す事象に対処するために実行するべき複数の操作を、複数のシステム機器７０に対する操作の中から選定し、選定した複数の操作をまとめて行うための操作ボタンＢＴを、コンソール部２０に表示させる。このようなトリガ信号を受けての各種の制御内容、すなわち、操作切替部４０や映像切替部５０の切り替え先のシステム機器や、コンソール部２０に表示させる操作ボタンＢＴ等は、トリガ信号の種類毎に予め設定されているものとする。これらの制御の具体的な内容については、後ほど詳しく説明する。なお、制御部６０は、上記のような各種の制御が行える任意のサーバー機器等により構成される。又、制御部６０による複数のシステム機器７０の制御は、例えば、キーボードエンコーダを利用して、各機器のソフトウェアの制御に適した信号を送信することで実現される。
【００３６】
次に、複数のシステム機器７０について説明するが、複数のシステム機器７０に含まれる各装置は、運行監視業務支援システム１０自体を構成するものではなく、従来から存在するものであるため、簡単に説明するものとする。図１に示すように、本実施形態では、複数のシステム機器７０として、マスターシステム７２、速報システム７４、データサーバー７６、アラーム監視システム７８、統合バンク８２、放送機リモコン８４、ＴＳ監視装置８６、Ｌ字送出システム８８、緊急地震速報システム９２、ＷＥＢ配信システム９４、及びＡｒｃａｓｔ９６が含まれている。しかしながら、これらとは別の装置が含まれていてもよく、これらの一部の装置が含まれていなくてもよい。
【００３７】
マスターシステム７２：運行監視業務支援システム１０が設置されたテレビ局とは別のキー局や各系列局、運行監視業務支援システム１０が設置されたテレビ局のスタジオ、統合バンク８２（ＣＭバンク及び番組バンク）等からの映像音声信号を秒単位で切り替えて、一つの放送用信号として複数の送信所へ信号を送る装置である。ＣＭバンクや番組バンクのスタート制御も行う。なお、マスターシステム７２は、複数のシステム機器７０に含まれる後述する他の装置や、主調整室に設置される別の装置等と連携して、上記のような制御を行うものであって、場合によってはそれらの装置の一部を構成していることがあり、反対にそれらの装置によりマスターシステム７２の一部が構成されていることもある。
【００３８】
速報システム７４：気象速報（気象警報、地震速報、津波警報等）及びニュース速報（キー局及びローカル局の速報）について、速報データを受信し、速報データに基づいた文字スーパーを作成後、マスターシステム７２のボタン操作で送出する装置である。運行監視業務支援システム１０を介した制御については後述する。
データサーバー（ＤＳ）７６：運行データ（放送進行データ）を一元管理するシステムである。ＡＰＣ（映像音声を切り替えるシステム）、統合バンク８２、ＳＩ／ＥＰＧサーバー（ＥＰＧ番組表の信号を出すシステム）、及びデータ放送設備のシステム等に対して、運行データを送る。又、運行データの作成や変更等も行い、例えば、スポーツ中継等で以降の番組開始時刻が変更になる場合に、その変更処理も行う。運行監視業務支援システム１０を介して、映像モニター画面の表示対象及びＰＣ操作対象として手動により切り替えられ、運行データの変更及びその後の確認等が行われる。
【００３９】
アラーム監視システム７８：主調整室にある様々な装置の異常を一括で管理し、運行監視者へ異常を通知するシステムである。運行監視業務支援システム１０を介して、自動で映像モニター画面の表示対象及びＰＣ操作対象として切り替わり、瞬時に異常箇所が把握される。
統合バンク８２：ローカルＣＭを送出するＣＭバンクと、ローカル番組を送出する番組バンクと、テロップ（提供スーパー等）を送出するＶＡＦとの、３つのシステムが統合され１つとなったシステムである。ＣＭ素材、番組素材、ＶＡＦ素材（テロップ素材）は、予め統合バンク８２のメモリーにファイリングされ、ＡＰＣからの指示により、自動で該当素材がスタート、送出される。本実施形態では、ＣＭ、番組、ＶＡＦの夫々が３重化され、各素材が３つの出力系統（Ａ系、Ｂ系、Ｘ系）から出力される。運行監視業務支援システム１０を介した制御については後述する。
【００４０】
放送機リモコン８４：電波を送信する送信所の放送機の監視及び制御をする装置である。放送機の異常があった場合は、放送機リモコン８４から運行監視者へ異常が通知される。又、放送機が二重化されている場合の切替制御や、放送終了後の停止制御等を行う。運行監視業務支援システム１０を介した制御については後述する。
ＴＳ監視装置８６：マスターシステム７２の最終段において、圧縮処理されてＴＳ（トラスポート・ストリーム）形式の信号に変換された映像・音声信号（ＴＳ信号）の中身を常時監視し、異常があった場合に運行監視者へ異常を通知する装置である。ＴＳ信号に異常があった場合に、運行監視業務支援システム１０を介して、映像モニター画面の表示対象及びＰＣ操作対象として自動で切り替わり、信号の異常が確認される。
【００４１】
Ｌ字送出システム８８：台風や地震等の情報を画面の左側及び下側にＬ型で表示させるための装置である。運行監視業務支援システム１０を介して、映像モニター画面の表示対象、ＰＣ操作対象、及び操作ボタンＢＴの表示対象等として手動で切り替え制御が行われ、操作ボタンＢＴが押されることでＬ字送出が行われる。
緊急地震速報システム９２：緊急地震速報として、スーパー及び音声を送出するシステムである。速報が受信された時点で、運行監視業務支援システム１０を介して、映像モニター画面の表示対象及びＰＣ操作対象として自動で切り替え制御が行われ、速報送出の状況が確認される。
【００４２】
ＷＥＢ配信システム９４：ネット番組において、運行データが変更になった場合に、運行監視者へ通知するシステムである。運行監視業務支援システム１０を介して、ＰＣ操作対象として手動で切り替え制御が行われ、データ変更内容の確認が行われる。
Ａｒｃａｓｔ９６：キー局や各系列局間で映像、音声の受け渡しをしている民放回線の、回線接続や接続先変更を行うシステムである。運行監視業務支援システム１０を介して、ＰＣ操作対象として手動で切り替え制御が行われ、回線接続処理等が行われる。
【００４３】
ここで、図１に示す構成要素間の接続は、直接的或いは他の機器等を介して間接的に通信可能に接続されていることを示しており、それらの接続方法は、各要素を構成している機器に応じた任意の接続方法であってよく、そのような接続方法には、無線接続、有線接続、インターネットを介した接続等が含まれる。又、本発明の実施の形態に係る運行監視業務支援システム１０は、図１に示すような構成に限定されるものでなく、図１に示された複数の構成要素の一部が削除又は置換されたものであってもよく、新たな構成要素が追加されたものであってもよい。更に、図１の各構成要素は、運行監視業務支援システム１０の構成を機能的に分けて示したものであって、運行監視業務支援システム１０を実際に構成する各機器と１対１で対応していなくてもよい。
【００４４】
続いて、本発明の実施の形態に係る運行監視業務支援システム１０による制御について、より具体的な例を挙げて説明する。運行監視業務支援システム１０の構成については、適宜、図１及び図２を参照されたい。
まず、図３には、バンク出力の異常が発生した場合にコンソール部２０の入力表示装置３４に表示される、第２表示部２４、第３表示部２６、及び第４表示部２８の表示例を示している。なお、第２表示部２４に表示される映像モニター画面の具体的な図示は省略している。図３のような表示は、バンクの出力に異常が発生したことを示すトリガ信号が、アラーム監視システム７８から制御部６０へ入力されて、制御部６０により映像切替部５０及びコンソール部２０が制御されることで、自動で表示される。
【００４５】
すなわち、制御部６０は、バンク出力の異常発生を示すトリガ信号が入力されると、映像切替部５０を制御して、統合バンク８２から提供される映像と、マスターシステム７２から提供される映像とを、コンソール部２０へ伝達させる。本実施形態の統合バンク８２は、上述したように、番組バンクの３つの出力系統と、ＣＭバンクの３つの出力系統と、ＶＡＦの３つの出力系統とを有しており、コンソール部２０へ伝達される映像が、第４表示部２８に表示されるメニューの操作によって、番組バンクとＣＭバンクとＶＡＦとの間で切り替えられるようになっている。図３の第４表示部２８では、左側の大メニュー欄で「統合バンク」が選択され、右側の小メニュー欄で「番組バンク」が選択された状態であるため、第２表示部２４の第１分割画面２４ａ〜第３分割画面２４ｃに、番組バンクの３つの出力系統からの映像が表示される。具体的に、Ａ系出力の映像が第１分割画面２４ａに表示され、Ｂ系出力の映像が第２分割画面２４ｂに表示され、Ｘ系出力の映像が第３分割画面２４ｃに表示される。
【００４６】
又、第４表示部２８のメニューで「ＣＭバンク」が選択されると、ＣＭバンクの３つの出力系統からの映像が、第１分割画面２４ａ〜第３分割画面２４ｃに表示され、第４表示部２８のメニューで「ＶＡＦ」が選択されると、ＶＡＦの３つの出力系統からの映像が、第１分割画面２４ａ〜第３分割画面２４ｃに表示される。バンク出力の異常発生を示すトリガ信号が制御部６０へ入力されたときに、第１分割画面２４ａ〜第３分割画面２４ｃに初めに表示される映像は、異常が発生した出力系統を含むバンクの映像である。なお、第１分割画面２４ａ〜第３分割画面２４ｃに表示される３つの出力系統の映像のうち、現在使用されている出力系統の映像は、各映像の上部または下部に「現用」と表示されて判別できるようになっている。一方、マスターシステム７２からコンソール部２０へ提供される映像は、マスターシステム７２で取り扱っている複数の映像のうち、ＴＳ信号に圧縮される前の放送用信号のもので現在使用中の系統からの映像である。このマスターシステム７２から提供される映像は、第２表示部２４の第４分割画面２４ｄに表示される。
【００４７】
更に、制御部６０は、バンク出力の異常発生を示すトリガ信号が入力されると、コンソール部２０を制御して、各バンクの出力系統を切り替えるための操作ボタンＢＴ１〜ＢＴ６を、第３表示部２６に表示させる。これらの操作ボタンＢＴ１〜ＢＴ６は、第４表示部２８の小メニュー欄で選択されているバンク（番組バンク、ＣＭバンク、又はＶＡＦの何れか）に対して機能するものであり、各ボタンがタッチされることで、各ボタンに割り当てられた操作が実行される。Ａ系選択操作ボタンＢＴ１は、３つの出力系統の中のＡ系出力を選択するものであって、Ｂ系選択操作ボタンＢＴ２は、３つの出力系統の中のＢ系出力を選択するものである。又、Ｘ系選択操作ボタンＢＴ３は、３つの出力系統の中のＸ系出力を選択するものであって、切り替え実行操作ボタンＢＴ４は、選択中の出力系統への切り替えを実行するためのものである。なお、操作ボタンＢＴ５は、Ａ系、Ｂ系の出力系統の選択をバンク側で自動で行うか、或いは、運行監視業務支援システム１０から手動で行うかを選択するためのものであり、操作ボタンＢＴ６は、出力系統の選択状態をキャンセルするものである。
【００４８】
ここで、図３の実施形態では、第２表示部２４の第１分割画面２４ａ〜第３分割画面２４ｃの何れかにタッチされることによっても、出力系統の選択が行われるようになっている。すなわち、第１分割画面２４ａがタッチされると、Ａ系選択操作ボタンＢＴ１がタッチされた場合と同様に、Ａ系出力が選択された状態になり、第２分割画面２４ｂがタッチされると、Ｂ系選択操作ボタンＢＴ２がタッチされた場合と同様に、Ｂ系出力が選択された状態になる。同じく、第３分割画面２４ｃがタッチされると、Ｘ系選択操作ボタンＢＴ３がタッチされた場合と同様に、Ｘ系出力が選択された状態になる。
【００４９】
Ａ系、Ｂ系、又はＸ系の何れかの出力系統が選択された状態で、切り替え実行操作ボタンＢＴ４がタッチされると、制御部６０は、統合バンク８２を制御して、選択中の出力系統への切り替えを実行させる。このため、運行監視者は、第２表示部２４の第１分割画面２４ａ〜第３分割画面２４ｃに表示される、３つの出力系統の映像を確認しながら、異常が発生していない系統を選択して、切り替え実行の操作を行えばよい。なお、制御部６０がバンク出力の異常発生を示すトリガ信号を受信しなくても、第４表示部２８に表示されるメニューの手動操作を受けて、図３のような各バンクの出力系統を切り替えるための表示が、第２表示部２４及び第３表示部２６に表示される。
【００５０】
次に、図４には、送信設備で異常が発生した場合にコンソール部２０の入力表示装置３４に表示される、第２表示部２４、第３表示部２６、及び第４表示部２８の表示例を示している。なお、第２表示部２４に表示される映像モニター画面の具体的な図示は省略している。図４のような表示は、送信設備に異常が発生したことを示すトリガ信号が、アラーム監視システム７８から制御部６０へ入力されて、制御部６０により映像切替部５０及びコンソール部２０が制御されることで、自動で表示される。すなわち、制御部６０は、送信設備の異常発生を示すトリガ信号が入力されると、映像切替部５０を制御して、マスターシステム７２から提供される映像を、コンソール部２０へ伝達させる。マスターシステム７２から提供される映像は、ＴＳ信号に圧縮された後の放送用信号のもので現用及び予備用の２つの系統の映像と、異常が発生している送信所の送信波を受信したチューナー出力の映像とである。
【００５１】
そして、コンソール部２０の第２表示部２４では、現用の放送用信号の映像が第１分割画面２４ａに表示され、予備用の放送用信号の映像が第２分割画面２４ｂに表示され、送信所からの映像が第３分割画面２４ｃに表示される。更に、第４分割画面２４ｄには、操作マニュアルが確認できるようなマニュアル確認画面が表示される。又、図示は省略しているが、送信設備に異常が発生したことを示すトリガ信号が入力されると、制御部６０は、上述した制御と同時に操作切替部４０も制御し、コンソール部２０のディスプレイ装置３２に、放送機リモコン８４を構成するＰＣの、異常が発生している送信所に対応した操作画面を表示させる。更に、キーボード３６及びマウス３８からは、放送機リモコン８４を構成するＰＣを介して、異常が発生している送信所の放送機を操作できるようになる。
【００５２】
ここで、本実施形態では、図４の第４表示部２８の右側の小メニュー欄に示されているように、主調整室から８つの送信所（図４では「送信所１」〜「送信所８」と示されている）へ放送用信号を送っており、この小メニュー欄の操作によって、送信所リモコンが対応する送信所が切り替えられるようになっている。すなわち、この小メニュー欄で選択される送信所が変更されると、ディスプレイ装置３２（第１表示部２２）には、放送機リモコン８４を構成するＰＣの、変更後の送信所に対応した操作画面が表示され、又、キーボード３６及びマウス３８からは、変更後の送信所の放送機を操作できるようになる。同時に、マスターシステム７２から提供されて第３分割画面２４ｃに表示される映像も、変更後の送信所の送信波を受信したチューナー出力映像に切り替えられる。しかしながら、異常が発生したときには、上述したように、異常が発生している送信所に対応した表示や操作環境が初めに提供される。なお、第４表示部２８の右側の小メニュー欄には、実際の送信所の名称を表示してもよい。
【００５３】
更に、制御部６０は、送信設備の異常発生を示すトリガ信号が入力されると、コンソール部２０を制御して、放送機を制御するための操作ボタンＢＴ１０〜ＢＴ１３を、第３表示部２６に表示させる。これらの操作ボタンＢＴ１０〜ＢＴ１３は、第４表示部２８の小メニュー欄で選択されている送信所に対して機能するものであり、各ボタンがタッチされることで、各ボタンに割り当てられた操作が実行される。リセット操作ボタンＢＴ１０は、放送機のリセットを行うことを選択するものであって、系統切り替え操作ボタンＢＴ１１は、放送機の放送系統切り替えを行うことを選択するものである。この系統切り替え操作ボタンＢＴ１１は、放送系統が２系統ある送信所についてのみ表示或いは有効になるものである。又、実行操作ボタンＢＴ１２は、選択中の制御（リセット或いは系統切り替え）を実行するためのものである。なお、操作ボタンＢＴ１３は、リセット或いは系統切り替えの選択状態をキャンセルするものである。
【００５４】
リセット或いは系統切り替えが選択された状態で、実行操作ボタンＢＴ１２がタッチされると、制御部６０は、放送機リモコン８４を制御して、選択中の制御を実行させる。すなわち、リセットが選択された状態で実行操作ボタンＢＴ１２がタッチされると、放送機リモコン８４を介して、選択中の送信所の放送機をリセットする。又、系統切り替えが選択された状態で実行操作ボタンＢＴ１２がタッチされると、放送機リモコン８４を介して、選択中の送信所の放送機の放送系統を、使用中の放送系統からもう一方の放送系統へと切り替える。このため、運行監視者は、第１表示部２２に表示される放送機リモコン８４の操作画面と、第２表示部２４の第１分割画面２４ａ〜第３分割画面２４ｃに表示される、現用並びに予備用の放送用信号の映像及び送信所から送信された映像とを確認しながら、放送機のリセット又は放送系統の切り替えの操作を行えばよい。なお、制御部６０が送信設備の異常発生を示すトリガ信号を受信しなくても、第４表示部２８の左側の大メニュー欄において手動で「送信」が選択されることで、図４のような各送信所のリセットや放送系統切り替えを行うための表示が、第２表示部２４及び第３表示部２６に表示される。
【００５５】
続いて、図５には、速報データを受信した場合にコンソール部２０の入力表示装置３４に表示される、第２表示部２４、第３表示部２６、及び第４表示部２８の表示例を示している。なお、第２表示部２４に表示される映像モニター画面の具体的な図示は省略している。図５のような表示は、速報データを受信したことを示すトリガ信号が、速報システム７４から制御部６０へ入力されて、制御部６０により映像切替部５０及びコンソール部２０が制御されることで、自動で表示される。すなわち、制御部６０は、速報データ受信を示すトリガ信号が入力されると、映像切替部５０を制御して、マスターシステム７２から提供される映像を、コンソール部２０へ伝達させる。
【００５６】
マスターシステム７２から提供される映像は、ＴＳ信号に圧縮される前の放送用信号のもので現在使用中の系統の１２セグ及び１セグの映像と、オンエア前に速報スーパーをプレビューするための映像と、オンエアの電波を受信したチューナー出力の映像とである。そして、コンソール部２０の第２表示部２４では、現用の放送用信号の１２セグ映像が第１分割画面２４ａに表示され、現用の放送用信号の１セグ映像が第２分割画面２４ｂに表示される。又、速報スーパーのプレビュー映像が第３分割画面２４ｃに表示され、オンエアの映像が第４分割画面２４ｄに表示される。
【００５７】
更に、制御部６０は、速報データ受信を示すトリガ信号が入力されると、コンソール部２０を制御して、速報の文字スーパーのプレビューや送出を行うための操作ボタンＢＴ２０〜ＢＴ２６を、第３表示部２６に表示させる。これらの操作ボタンＢＴ２０〜ＢＴ２６は、各ボタンがタッチされることで、各ボタンに割り当てられた操作が実行される。プレビュー実行操作ボタンＢＴ２０は、第３分割画面２４ｃに表示されるプレビュー映像に文字スーパーのプレビュー表示を反映するものであって、プレビュー強制終了操作ボタンＢＴ２１は、そのプレビュー表示を強制終了するものである。又、１回目送出操作ボタンＢＴ２２は、速報の文字スーパーの１回目の送出を実行するものであって、１回目送出停止操作ボタンＢＴ２３は、文字スーパーの１回目の送出を停止するためのものである。更に、２回目送出操作ボタンＢＴ２４は、速報の文字スーパーの２回目の送出を実行するものであって、２回目送出停止操作ボタンＢＴ２５は、文字スーパーの２回目の送出を停止するためのものである。なお、操作ボタンＢＴ２６は、速報の２回目の送出までが完了し、速報の送出が終了したことを入力するためのものである。
【００５８】
ここで、本実施形態では、操作ボタンＢＴ２０〜ＢＴ２６が表示されているウィンドウの色が、操作するべき順序に応じて変化するようになっている。すなわち、例えば、現在操作するべき操作ボタンＢＴを表示しているウィンドウの色が黄色等にされ、それ以外の操作ボタンＢＴを表示しているウィンドウの色がグレー等にされる。そして、現在操作するべき操作ボタンＢＴがタッチされたら、その操作ボタンＢＴを表示しているウィンドウの色がグレー等にされ、次に操作するべき操作ボタンＢＴを表示しているウィンドウの色が黄色等にされる。すなわち、この例では現在操作するべき操作ボタンＢＴが、常に黄色のウィンドウにより示されるようになっている。なお、図５の実施形態では、互いに関連するボタン同士である、操作ボタンＢＴ２１及びＢＴ２２と、操作ボタンＢＴ２２及びＢＴ２３と、操作ボタンＢＴ２４及びＢＴ２５との夫々が、同じウィンドウに表示されている。そして、図５には、操作ボタンＢＴ２２及びＢＴ２３を表示しているウィンドウが、現在操作するべき操作ボタンＢＴとして、他のウィンドウと異なる色になっている状態が示されている。
【００５９】
プレビュー実行操作ボタンＢＴ２０がタッチされると、制御部６０は、マスターシステム７２を制御して、速報の文字スーパーのプレビューを実行させる。更に、１回目送出操作ボタンＢＴ２２や２回目送出操作ボタンＢＴ２４がタッチされると、制御部６０は、マスターシステム７２を制御して、文字スーパーの１回目の送出や２回目の送出を実行させる。なお、速報の文字スーパーは、速報データを受信した時点で、速報システム７４により自動的に作成されている。このような構成により、運行監視者は、第２表示部２４に表示される現用の放送用信号の映像、文字スーパーのプレビュー映像、及びオンエアの映像を確認しながら、例えば黄色のウィンドウにより示される順番通りに操作ボタンＢＴ２０〜ＢＴ２６をタッチして、文字スーパーのプレビューや送出の操作等を行えばよい。
【００６０】
図５に示されている第４表示部２８は、左側の大メニュー欄で「速報」が選択され、右側の小メニュー欄で「速報」が選択された状態である。この状態では、上記のような速報の文字スーパーの制御が行われる。ここで、小メニュー欄に表示された「緊急地震」及び「Ｌ字送出」について簡単に説明する。緊急地震速報のデータを受信すると、制御部６０は、コンソール部２０を制御して、第４表示部２８の小メニュー欄で「緊急地震」が選択された状態にすると共に、第２表示部２４に、緊急地震速報システム９２により送出される緊急地震速報のスーパー及び音声が確認できる映像を表示させる。一方、運行監視者により第４表示部２８の小メニュー欄で「Ｌ字送出」が選択されると、制御部６０は、コンソール部２０を制御して、第３表示部２６に、Ｌ字送出システム８８で作成されるＬ字情報を送出するための操作ボタンＢＴを表示させると共に、第２表示部２４に、Ｌ字情報が確認できる映像を表示させる。
【００６１】
なお、図３〜図５に示した表示例は、本発明の実施の形態に係る運行監視業務支援システム１０の表示内容を限定するものではなく、例えば、第２表示部２４に表示される映像、第３表示部２６に表示される操作ボタンＢＴ、及び第４表示部２８に表示されるメニューの内容は、図３〜図５と異なっていてもよい。すなわち、第１表示部２２〜第３表示部２６には、制御部６０が受信したトリガ信号や、第４表示部２８のメニューで選択された内容等に応じた、適切な操作画面、映像、及び操作ボタンＢＴが表示されればよい。又、第４表示部２８には、運行監視業務支援システム１０の構成や、複数のシステム機器７０に含まれる装置等に応じて、任意のメニューを表示してよい。
【００６２】
さて、上記構成をなす本発明の実施の形態によれば、次のような作用効果を得ることが可能である。すなわち、本発明の実施の形態に係る運行監視業務支援システム１０は、図１に示すように、主調整室に設置される複数のシステム機器７０を使用した運行監視業務を支援するものであり、コンソール部２０、操作切替部４０、映像切替部５０、及び制御部６０を含んでいる。コンソール部２０は、運行監視者から運行監視業務支援システム１０に対して入力される操作を受け、その操作内容を操作切替部４０や制御部６０へと伝達する。更に、コンソール部２０は、運行監視者に対して様々な画面を表示する役割も担う。操作切替部４０は、コンソール部２０を介して操作されるシステム機器を、主調整室の複数のシステム機器７０の中で切り替えるものであり、複数のシステム機器７０とコンソール部２０とに接続される。すなわち、操作切替部４０は、コンソール部２０から入力される操作を切り替え先のシステム機器に対して伝達すると共に、切り替え先のシステム機器の操作画面をコンソール部２０へ送信する。映像切替部５０は、操作切替部４０と同じく複数のシステム機器７０とコンソール部２０とに接続され、コンソール部２０に表示される映像モニター画面を提供するシステム機器を、複数のシステム機器７０の中で切り替えるものである。
【００６３】
制御部６０は、運行監視業務支援システム１０全体を制御するものであって、運行監視業務支援システム１０の他の構成要素や、複数のシステム機器７０と接続され、システム制御の１つとして以下のような制御を行う。すなわち、制御部６０は、複数のシステム機器７０から入力されるトリガ信号に応じて、複数のシステム機器７０の中から、運行監視者により操作されるべきシステム機器と、運行監視者に対して表示するべき映像モニター画面を提供しているシステム機器とを選択する。その結果、運行監視者により操作されるべきシステム機器として選択されたシステム機器が、コンソール部２０から操作されるように、操作切替部４０の切り替え先を制御する。更に、制御部６０は、運行監視者に対して表示するべき映像モニター画面を提供しているシステム機器として選択されたシステム機器が、コンソール部２０に対して映像モニター画面を提供するように、映像切替部５０の切り替え先を制御する。
【００６４】
これにより、操作が必要なシステム機器がコンソール部２０から操作できるようになるため、そのシステム機器の設置場所までの移動や、操作するべきシステム機器を判断する時間等が不要になり、迅速に対応することができる。又、必要とする映像モニター画面がコンソール部２０に表示されるため、トリガ信号に応じた各オペレーション時や異常発生時等、画像確認が必要な場合に、短時間でかつ確実に状況確認を行うことができる。従って、経験が少ない運行監視者が業務を行う場合や、異常発生時等の緊急時であっても、的確な処置を迅速に行うことが可能となり、延いては、業務負担の軽減等の大幅な業務改善と、放送の信頼性や安全性の向上とに貢献することができる。しかも、本運行監視業務支援システム１０は、操作切替部４０や映像切替部５０等を介した制御により、既設のシステム機器を改修する必要なく導入することができる。
【００６５】
又、本発明の実施の形態に係る運行監視業務支援システム１０は、複数のシステム機器７０から入力されるトリガ信号が示す事象に対処するために、複数の操作をまとめて行うための操作ボタンＢＴ（図３〜図５参照）を、制御部６０がコンソール部２０に表示させるものである。そのために、制御部６０は、入力されたトリガ信号が示す事象に対処するために実行するべき複数の操作を、複数のシステム機器７０に対する操作の中から選定する。そして、選定した複数の操作をまとめて行うための操作ボタンＢＴを、コンソール部２０に少なくとも１つ表示させる。
【００６６】
このような構成によって、制御部６０は、コンソール部２０に表示させた操作ボタンＢＴが運行監視者により操作されると、その操作ボタンＢＴに割り当てられた複数の操作が、該当するシステム機器に対して実行されるように制御を行う。これにより、複数のシステム機器７０の各々を構成する複数のＰＣに対する操作や、各システム機器に設けられた多数のボタンの中から選定された、トリガ信号が示す事象に対処するための複数の操作を、操作ボタンＢＴの押下によってまとめて行うことができるため、的確な操作をより確実に行うことが可能となる。更に、例えば図５に示すように、複数の操作ボタンＢＴを表示させた場合に、操作ボタンＢＴやその周り等を色分け表示して、優先度や押下の順序を示唆することとすれば、操作の的確度をより一層向上させることができる。又、運行監視者は操作ボタンＢＴを押下すればよいため、運行監視者があまり詳しくないシステム機器に対しても、的確な操作を行うことが可能となる。
【００６７】
更に、本発明の実施の形態に係る運行監視業務支援システム１０は、コンソール部２０が第１表示部２２から第３表示部２６までを含むものであり、このうちの第１表示部２２は、操作切替部４０を介して提供される、操作切替部４０の切り替え先のシステム機器の操作画面を表示するものである。又、第２表示部２４は、映像切替部５０を介して提供される、映像切替部５０の切り替え先の１台以上のシステム機器からの、複数の映像モニター画面を同時に表示するものである。更に、第３表示部２６は、操作ボタンＢＴを表示するものである。これにより、複数の表示を機能的に分けながらもコンソール部２０においてまとめて表示し、同一視界内で全ての確認を行うことができる。しかも、例えば図２に示すように、少なくとも第３表示部２６が、タッチパネル式の入力表示装置３４により構成されていることで、直感的かつ容易に操作ボタンＢＴの押下を行うことができる。
【００６８】
又、本発明の実施の形態に係る運行監視業務支援システム１０は、図１に示すように、複数のシステム機器７０に少なくとも、マスターシステム７２、速報システム７４、アラーム監視システム７８、統合バンク８２、及び放送機リモコン８４が含まれるものである。このように、運行監視業務に必要な各装置が複数のシステム機器７０に含まれていることで、本運行監視業務支援システム１０による業務支援の品質を向上させることが可能となる。
【００６９】
又、本発明の実施の形態に係る運行監視業務支援システム１０は、統合バンク８２において出力の異常が発生したことを示すトリガ信号を、制御部６０がアラーム監視システム７８から受信した場合に、例えば図３に示すような表示をコンソール部２０に表示させる。すなわち、制御部６０は、運行監視者に対して表示するべき映像モニター画面を提供しているシステム機器として、統合バンク８２とマスターシステム７２とを選択する。そして、制御部６０は、統合バンク８２に保持されている３種の素材のうち、何れか１つの素材を出力している３つの出力系統からの映像と、マスターシステム７２において圧縮される前の放送用信号による映像とを、統合バンク８２及びマスターシステム７２から映像切替部５０を介してコンソール部２０へと提供し、複数の映像モニター画面として第２表示部２４の第１分割画面２４ａ〜第４分割画面２４ｄに同時に表示させる。
【００７０】
一方、制御部６０は、運行監視者により操作されるべきシステム機器として、統合バンク８２を選択する。そして、統合バンク８２に保持されている３種の素材のうち、選択中の１つの素材（図３では番組素材）について、複数の出力系統の中で使用する系統を切り替えるための操作ボタンＢＴ１〜ＢＴ４を、コンソール部２０の第３表示部２６に表示させる。これらの操作ボタンＢＴ１〜ＢＴ４が操作されると、制御部６０は、統合バンク８２を制御して、出力系統の切り替えを実行させる。このような構成であるため、運行監視者は、統合バンク８２の複数の出力系統からの映像と、圧縮前の放送用信号による映像とを、コンソール部２０においてまとめて確認しながら、各操作ボタンＢＴの操作により、出力系統の切り替え操作を行うことができる。これにより、統合バンク８２の異常状況の把握時間と、適切な処置が行われるまでの時間とを短縮することができ、送出の安全性を向上することが可能となる。
【００７１】
加えて、本発明の実施の形態に係る運行監視業務支援システム１０は、複数の送信所の中で放送機の異常が発生した送信所があることを示すトリガ信号を、制御部６０がアラーム監視システム７８から受信した場合に、例えば図４に示すような表示をコンソール部２０に表示させる。すなわち、制御部６０は、運行監視者に対して表示するべき映像モニター画面を提供しているシステム機器として、マスターシステム７２を選択する。そして、マスターシステム７２において圧縮された後の放送用信号（現用及び予備用）による映像と、放送機の異常が発生している送信所からの電波を受信したチューナーからの映像とを、マスターシステム７２から映像切替部５０を介してコンソール部２０へと提供し、複数の映像モニター画面として第２表示部２４の第１分割画面２４ａ〜第３分割画面２４ｃに同時に表示させる。
【００７２】
一方、制御部６０は、運行監視者により操作されるべきシステム機器として、放送機リモコン８４を選択する。そして、放送機の異常が発生している送信所に対応した放送機リモコン８４の操作画面を、コンソール部２０の第１表示部２２に表示させる。加えて、制御部６０は、放送機の異常が発生している送信所について、放送機をリセットするための操作ボタンＢＴ１０を、コンソール部２０の第３表示部２６に表示させる。更に、制御部６０は、放送機の異常が発生している送信所の放送機が、複数の放送系統を有している場合に限り、それら複数の放送系統の中で使用する放送系統を切り替えるための操作ボタンＢＴ１１を、第３表示部２６に表示させる。これらの操作ボタンＢＴ１０又はＢＴ１１が選択された状態で、実行操作ボタンＢＴ１２が操作されると、制御部６０は、放送機リモコン８４を制御して、異常が発生している送信所の放送機のリセットや放送系統の切り替えを実行させる。
【００７３】
運行監視業務支援システム１０が上記のような構成であるため、運行監視者は、圧縮後の放送用信号による映像と、放送機の異常が発生している送信所からの電波による映像と、異常が発生している放送機の操作画面とを、コンソール部２０においてまとめて確認しながら、各操作ボタンＢＴの操作により、放送機のリセット操作や、放送機の放送系統切り替え操作を行うことができる。これにより、送信設備に詳しくない運行監視者であっても、異常の原因がマスターシステム７２にあるか放送機にあるか等の判断を適切かつ迅速に行うことができ、異常発生時の対応時間を大幅に短縮することができると共に、異常の影響を最小限に止めることが可能となる。
【００７４】
しかも、本発明の実施の形態に係る運行監視業務支援システム１０は、速報データを受信したことを示すトリガ信号を、制御部６０が速報システム７４から受信した場合に、例えば図５に示すような表示をコンソール部２０に表示させる。すなわち、制御部６０は、運行監視者に対して表示するべき映像モニター画面を提供しているシステム機器として、マスターシステム７２を選択する。そして、マスターシステム７２において圧縮される前の放送用信号（１２セグ及び１セグ）による映像と、文字スーパーのプレビュー表示が反映されるプレビュー映像と、オンエアの電波を受信したチューナーからの映像とを、マスターシステム７２から映像切替部５０を介してコンソール部２０へと提供し、複数の映像モニター画面として第２表示部２４の第１分割画面２４ａ〜第４分割画面２４ｄに同時に表示させる。
【００７５】
一方、制御部６０は、運行監視者により操作されるべきシステム機器として、マスターシステム７２を選択する。そして、速報データを受けた速報システム７４において作成された文字スーパーの、プレビュー表示を行うための操作ボタンＢＴ２０と、送出を行うための操作ボタンＢＴ２２及びＢＴ２４とを、コンソール部２０の第３表示部２６に表示させる。これらの操作ボタンＢＴ２０、ＢＴ２２、ＢＴ２４が操作されると、制御部６０は、マスターシステム７２を制御して、速報の文字スーパーのプレビューや送出を実行させる。このような構成であるため、運行監視者は、圧縮前の放送用信号による映像と、文字スーパーのプレビュー映像と、オンエアの映像とを、コンソール部２０においてまとめて確認しながら、各操作ボタンＢＴの操作により、文字スーパーのプレビュー及び送出を行うことができる。これにより、速報送出の安全性を向上することができると共に、速報送出までの時間を短縮することが可能となる。
【符号の説明】
【００７６】
１０：運行監視業務支援システム、２０：コンソール部、２２：第１表示部、２４：第２表示部、２６：第３表示部、３４：入力表示装置、４０：操作切替部、５０：映像切替部、６０：制御部、７０：複数のシステム機器、７２：マスターシステム、７４：速報システム、７８：アラーム監視システム、８２：統合バンク、８４：放送機リモコン、ＢＴ：操作ボタン、ＢＴ１、ＢＴ２、ＢＴ３、ＢＴ４：出力系統を切り替えるための操作ボタン、ＢＴ１０：放送機をリセットするための操作ボタン、ＢＴ１１：放送系統を切り替えるための操作ボタン、ＢＴ２０：文字スーパーのプレビュー表示を行うための操作ボタン、ＢＴ２２、ＢＴ２４：文字スーパーの送出を行うための操作ボタン
【要約】
【課題】運行監視業務の負担を軽減し、放送の信頼性を向上する。
【解決手段】運行監視業務支援システム１０は、操作入力及び画面提示のためのコンソール部２０と、操作の伝達先及び操作画面の提供元を複数のシステム機器７０の中で切り替える操作切替部４０と、映像の提供元を複数のシステム機器７０の中で切り替える映像切替部５０と、システム全体を制御する制御部６０とを含む。制御部６０は、複数のシステム機器７０から入力されるトリガ信号に応じて、操作されるべきシステム機器と表示するべき映像を提供しているシステム機器とを選択し、選択結果に基づいて操作切替部４０及び映像切替部５０を制御する。これにより、操作が必要なシステム機器をコンソール部２０から操作でき、又、必要とする映像がコンソール部２０に表示されるため、的確な処置を迅速に行うことができ、業務負担が軽減されると共に、放送の信頼性が向上する。
【選択図】図１【図１】
0006820394.tif 000002
【図２】
0006820394.tif 000003
【図３】
0006820394.tif 000004
【図４】
0006820394.tif 000005
【図５】
0006820394.tif 000006